(57)【要約】  複数の画面を有する端末装置において、電力が必要以上に消費されるという問題を解決する端末装置を提供する。  操作部１０４に対して所定の操作が行われると、制御部１０５は、ＬＣＤ制御部１０３に、ＬＣＤ１０１および１０２の少なくとも一つを第一の明るさで照明させる。その後、操作部１０４に対してＬＣＤ１０１および１０２のいずれかを選択する選択操作が行われ、その選択されたＬＣＤが第一の明るさで照明されている場合、制御部１０５は、ＬＣＤ制御部１０３に、その選択操作にて選択されたＬＣＤを第一の明るさよりも明るい第二の明るさで照明させる。
2011102222.tif 000002
【特許請求の範囲】
【請求項１】
複数の表示部と、
前記複数の表示部のそれぞれを個別に照明することが可能な照明部と、
操作部と、
前記操作部に対して所定の操作が行われると、前記照明部に、前記複数の表示部の少なくとも一つを第一の明るさで照明させ、その後、前記操作部に対して前記複数の表示部のいずれかを選択する選択操作が行われ、当該選択操作にて選択された表示部が第一の明るさで照明されている場合、当該選択操作にて選択された表示部を前記第一の明るさより明るい第二の明るさで照明させる制御部と、を有する端末装置。
【請求項２】
請求項１に記載の端末装置において、
前記制御部は、前記所定の操作として、前記複数の表示部の全てを選択する第一の所定の操作が行われると、前記照明部に、前記複数の表示部の全てを前記第一の明るさで照明させる、端末装置。
【請求項３】
請求項１または２に記載の端末装置において、
前記制御部は、前記所定の操作として、前記複数の表示部のいずれか１以上を選択する第二の所定の操作が行われると、前記照明部に、当該第二の所定の操作にて選択された表示部を前記第一の明るさで照明させる、端末装置。
【請求項４】
請求項１ないし３のいずれか１項に記載の端末装置において、
前記所定の操作は、シングルクリック、ダブルクリック、短押しおよび長押しの少なくとも一つである、記載の端末装置。
【請求項５】
請求項１ないし４のいずれか１項に記載の端末装置において、
前記制御部は、前記選択操作にて選択された表示部への照明が停止されている場合、前記照明部に、当該表示部を前記第一の明るさで照明させる、端末装置。
【請求項６】
請求項１ないし４のいずれか１項に記載の端末装置において、
前記制御部は、前記選択操作にて選択された表示部への照明が停止されている場合、前記照明部に、当該表示部を前記第二の明るさで照明させる、端末装置。
【請求項７】
請求項５または６に記載の端末装置において、
前記制御部は、前記選択操作にて選択された表示部への照明が停止されている場合、前記照明部に、当該表示部以外の表示部への照明を停止させる、端末装置。
【請求項８】
請求項１ないし７のいずれか１項に記載の端末装置において、
当該端末装置を動作させるための電力を蓄電可能な電源と、
前記電源に蓄電された電力の残量を測定する電源制御部と、をさらに有し、
前記制御部は、前記所定の操作が行われると、前記電源制御部にて測定された電力の残量が予め定められた閾値未満の場合、前記照明部に前記表示部の少なくとも一つを第一の明るさで照明させ、前記電力の残量が前記閾値以上の場合、前記照明部に前記表示部の少なくとも一つを第二の明るさで照明させる、端末装置。
【請求項９】
請求項１ないし８のいずれか１項に記載の端末装置において、
前記制御部は、前記所定の操作が行われてから所定時間経過しても、前記選択操作が行われなかった場合、前記照明部に、前記複数の表示部への全ての照明を停止させる、端末装置。
【請求項１０】
請求項１ないし９のいずれか１項に記載の端末装置において、
前記操作部は、各表示部に備わった複数のタッチパネルを含む、端末装置。
【請求項１１】
請求項１０に記載の端末装置において、
前記制御部は、前記照明部が前記複数の表示部への照明を全て停止している場合、前記複数のタッチパネルの全てに対する操作を無効にし、前記照明部が前記複数の表示部の少なくとも一つを照明している場合、前記複数のタッチパネルの全てに対する操作を有効にする、端末装置。
【請求項１２】
複数の表示部と、前記複数の表示部のそれぞれを個別に照明することが可能な照明部と、操作部とを有する端末装置の照明制御方法であって、
前記操作部に対して所定の操作が行われると、前記照明部に、前記複数の表示部の少なくとも一つを第一の明るさで照明させ、
前記操作部に対して前記複数の表示部のいずれかを選択する選択操作が行われ、当該選択操作にて選択された表示部が第一の明るさで照明されている場合、前記照明部に、当該選択操作にて選択された表示部を前記第一の明るさより明るい第二の明るさで照明させる、照明制御方法。
【発明の詳細な説明】
【技術分野】
【０００１】
本発明は、表示画面の明るさを制御可能な端末装置および照明制御方法に関する。
【背景技術】
【０００２】
一般的に端末装置では、長時間使用されていないときに、表示画面のバックライトを消灯することで、消費電力の低減化を図っている。また、バックライトが消灯された後に、ユーザが端末装置を操作すると、バックライトが点灯され、ユーザは、表示画面に表示されている情報を確認したり、アプリケーションを利用したりすることができる。【０００３】
バックライトの点灯方法に関する点灯技術としては、特許文献１に記載の画面表示処理装置がある。画面表示処理装置では、２つの筐体が開閉可能に取り付けられている。画像表示処理装置は、その２つの筐体の開閉角度が小さいときには、バックライトの光量を小さくし、その開閉角度が大きいときには、バックライトの光量を大きくする。【０００４】
これにより、ユーザが、アプリケーションを確認する場合、筐体の開閉角度を小さくし、アプリケーションを利用する場合、筐体の開閉角度を大きくすれば、必要以上の明るさで表示画面が照明されることを抑制することが可能になり、消費電力を軽減することが可能になる。
【先行技術文献】
【特許文献】
【０００５】
【特許文献１】特開２００９−４９５１２号公報
【発明の概要】
【発明が解決しようとする課題】
【０００６】
アプリケーションを利用する場合、通常、ユーザはそのアプリケーションが表示された表示画面を長時間眺める必要があるため、表示画面にある程度の明るさがないと、ユーザはアプリケーションを利用しづらいと感じることがある。一方、単に表示情報を確認する場合、ユーザは表示画面を長時間眺める必要がないため、表示画面は、アプリケーションを利用する場合と比べて暗くてもよい。【０００７】
したがって、ユーザが表示情報を確認するために操作部を操作したときに、アプリケーションを利用し易い明るさで表示画面が照明されると、必要以上の明るさで表示画面が照明されることとなり、消費電力が大きいという問題があった。【０００８】
また、現在、複数の表示画面を有する端末装置が知られている。このような端末装置では、表示画面ごとに表示情報が異なることがあるため、ユーザは、バックライトが消灯されると、どの表示画面にどの情報が表示されているか分からなくなることがある。この場合、ユーザは、アプリケーションを利用するためには、各表示画面に表示されている情報を確認してから、利用するアプリケーションにて生成された情報が表示されている表示画面を特定する。そして、ユーザは、その特定した表示画面を眺めながら、アプリケーションを利用することになる。【０００９】
複数の表示画面を有する端末装置に特許文献１に記載の技術を適用した場合、アプリケーションを利用する際に、筐体の開閉角度を大きくすると、アプリケーションを利用し易い明るさで全ての表示画面が照明される。したがって、ユーザがアプリケーションを利用するために眺める表示画面以外の表示画面が必要以上の明るさとなるので、消費電力が大きいという問題がある。【００１０】
本発明の目的は、上記の問題の少なくとも１つを解決する端末装置および照明制御方法を提供することである。
【課題を解決するための手段】
【００１１】
本発明の端末装置は、複数の表示部と、前記複数の表示部のそれぞれを個別に照明することが可能な照明部と、操作部と、前記操作部に対して所定の操作が行われると、前記照明部に、前記複数の表示部の少なくとも一つを第一の明るさで照明させ、その後、前記操作部に対して前記複数の表示部のいずれかを選択する選択操作が行われ、当該選択操作にて選択された表示部が第一の明るさで照明されている場合、当該選択操作にて選択された表示部を前記第一の明るさより明るい第二の明るさで照明させる制御部と、を有する。【００１２】
本発明の照明制御方法は、複数の表示部と、前記複数の表示部のそれぞれを個別に照明することが可能な照明部と、操作部とを有する端末装置の照明制御方法であって、前記操作部に対して所定の操作が行われると、前記照明部に、前記複数の表示部の少なくとも一つを第一の明るさで照明させ、前記操作部に対して前記複数の表示部のいずれかを選択する選択操作が行われ、当該選択操作にて選択された表示部が第一の明るさで照明されている場合、前記照明部に、当該選択操作にて選択された表示部を前記第一の明るさより明るい第二の明るさで照明させる。
【発明の効果】
【００１３】
本発明によれば、複数の画面を有する端末装置において、消費電力を軽減することが可能になる。
【図面の簡単な説明】
【００１４】
【図１】本発明の第１の実施形態の端末装置の構成を示したブロック図である。
【図２】本発明の第１の実施形態の端末装置の動作の一例を説明するためのフローチャートである。
【図３】本発明の第２の実施形態の端末装置の構成を示したブロック図である。
【図４】本発明の第２の実施形態の端末装置の動作の一例を説明するためのフローチャートである。
【図５】本発明の第２の実施形態の端末装置の動作の他の例を説明するためのフローチャートである。
【図６】本発明の第３の実施形態の端末装置の構成を示したブロック図である。
【発明を実施するための形態】
【００１５】
以下、本発明の実施形態について図面を参照して説明する。なお、以下の説明では、同じ機能を有する構成には同じ符号を付け、その説明を省略する場合がある。
【００１６】
図１は、本発明の第１の実施形態の端末装置の構成を示したブロック図である。図１において、端末装置１００は、ＬＣＤ（Liquid Crystal Display）１０１および１０２と、ＬＣＤ制御部１０３と、操作部１０４と、制御部１０５とを有する。
【００１７】
ＬＣＤ１０１および１０２は、表示部と呼ばれることもある。なお、ＬＣＤの数は、図１では、２つだけだが、実際には、複数あればよい。
【００１８】
ＬＣＤ制御部１０３は、照明部と呼ばれることもある。ＬＣＤ制御部１０３は、例えば、バックライトなどの光源を有し、その光源を用いて、ＬＣＤ１０１および１０２を個別に照明する。
【００１９】
操作部１０４は、端末装置のユーザにて操作される。操作部１０４は、例えば、ハードキーである。
【００２０】
制御部１０５は、ＬＣＤ制御部１０３を制御して、ＬＣＤ１０１および１０２の明るさを調整する。
【００２１】
例えば、操作部１０４に対して所定の操作が行われると、制御部１０５は、ＬＣＤ制御部１０３に、ＬＣＤ１０１および１０２の少なくとも一つを第一の明るさで照明させる。
【００２２】
なお、所定の操作には、ＬＣＤ１０１および１０２の全てを選択する第一の所定の操作と、ＬＣＤ１０１および１０２のいずれかを選択する第二の所定の操作とがある。ＬＣＤ制御部１０３は、第一の所定の操作が行われると、ＬＣＤ１０１および１０２の全てを第一の明るさで照明させ、第二の所定の操作が行われると、その第二の所定の操作で選択されたＬＣＤのみを第一の明るさで照明させる。
【００２３】
その後、操作部１０４に対してＬＣＤ１０１および１０２のいずれかを選択する選択操作が行われ、その選択操作にて選択されたＬＣＤが第一の明るさで照明されていると、制御部１０５は、ＬＣＤ制御部１０３に、その選択操作にて選択されたＬＣＤを第二の明るさで照明させる。
【００２４】
ここで、第一の明るさは、ＬＣＤ１０１および１０２に表示されている情報を確認できる程度の明るさであるとする。また、第二の明るさは、ＬＣＤ１０１および１０２に表示されている情報を生成したアプリケーションを利用し易い明るさであり、第一の明るさよりも明るい。
【００２５】
なお、制御部１０５は、ＬＣＤを照明すると、そのＬＣＤが第一の明るさであっても、第二の明るさであっても、ＬＣＤ制御部１０３に、所定時間後にそのＬＣＤを消灯させてもよい。このとき、ＬＣＤが第一の明るさで照明されている場合、ユーザがそのＬＣＤに表示されている情報を確認できればよいので、ＬＣＤが第一の明るさで照明される期間は、ＬＣＤが第二の明るさで照明される期間に比べて短くてもよい。
【００２６】
また、端末装置１００が電池に蓄電された電力で動作する場合、制御部１０５は、その電池に蓄えられた電力が予め定められた閾値未満であるときだけ、上記の処理を行ってもよい。なお、電池に蓄えられた電力が閾値以上の場合、制御部１０５は、所定の操作が行われると、ＬＣＤ制御部１０３に、ＬＣＤ１０１および１０２の両方を第二の明るさで照明させてもよい。
【００２７】
次に動作を説明する。
【００２８】
図２は、本実施形態の端末装置の動作の一例を説明するためのフローチャートである。なお、初期状態では、ＬＣＤ制御部１０３は、ＬＣＤ１０１および１０２への照明を停止しているものとする。
【００２９】
ステップＳ２０１では、制御部１０５は、ユーザからの操作部１０４に対する操作を監視して、操作部１０４に対して所定の操作が行われたか否かを確認する。制御部１０５は、所定の操作が行われていないと、ステップＳ２０１を実行し、所定の操作が行われていると、ステップＳ２０２を実行する。
【００３０】
ステップＳ２０２では、制御部１０５は、ＬＣＤ制御部１０３に、ＬＣＤ１０１および１０２の少なくとも一つを第一の明るさで照明させる。その後、制御部１０５は、ステップＳ２０３を実行する。
【００３１】
ステップＳ２０３では、制御部１０５は、ユーザからの操作部１０４に対する操作を監視して、操作部１０４に対して選択操作が行われたか否かを確認する。制御部１０５は、選択操作が行われると、ステップＳ２０４を実行し、選択操作が行われていないと、ステップＳ２０３を実行する。
【００３２】
ステップＳ２０４では、選択操作にて選択されたＬＣＤが第一の明るさで照明されていると、制御部１０５は、ＬＣＤ制御部１０３に、そのＬＣＤを第二の明るさで照明させる。
【００３３】
ここで、選択操作にて、第一の明るさで照明されている両方のＬＣＤが選択された場合、制御部１０５は、両方のＬＣＤを第二の明るさで照明させる。
【００３４】
本実施形態によれば、操作部１０４に対して所定の操作が行われると、制御部１０５は、ＬＣＤ制御部１０３に、ＬＣＤ１０１および１０２の少なくとも一つを第一の明るさで照明させる。その後、操作部１０４に対してＬＣＤ１０１および１０２のいずれかを選択する選択操作が行われ、その選択されたＬＣＤが第一の明るさで照明されていると、制御部１０５は、ＬＣＤ制御部１０３に、その選択操作にて選択されたＬＣＤを第一の明るさよりも明るい第二の明るさで照明させる。
【００３５】
この場合、所定の操作が行われると、ＬＣＤ１０１および１０２の少なくとも一つが第一の明るさで照明される。その後、選択操作にて選択されたＬＣＤが第一の明るさで照明されていると、そのＬＣＤが第一の明るさよりも明るい第二の明るさで照明される。
【００３６】
したがって、ユーザが、第一の明るさでＬＣＤに表示されているアプリケーションを確認し、選択操作を行うことでアプリケーションを利用するために眺めるＬＣＤを選択すれば、アプリケーションを利用するために眺めるＬＣＤ以外のＬＣＤの明るさを第一の明るさ以下とすることが可能になる。このため、第一の明るさおよび第二の明るさが適宜調整されれば、アプリケーションを利用するために眺めるＬＣＤ以外のＬＣＤが必要以上の明るさとなることを防止することが可能になり、消費電力を軽減することが可能になる。
【００３７】
次に第二の実施形態について説明する。
【００３８】
図３は、本実施形態の端末装置の構成を示したブロック図である。図３において、端末装置１００は、ＬＣＤ１０１および１０２と、ＬＣＤ制御部１０３と、制御部１０５と、タッチパネル１０６および１０７と、電源１０８と、電源制御部１０９とを有する。
【００３９】
ＬＣＤ制御部１０３は、バックライト１１１および１１２と、ＬＣＤドライバ１１３とを有する。
【００４０】
バックライト１１１および１１２は、ＬＣＤ１０１および１０２を照明する光源である。以下では、バックライト１１１がＬＣＤ１０１を照明し、バックライト１１２がＬＣＤ１０２を照明するものとする。
【００４１】
ＬＣＤドライバ１１３は、端末装置が実行しているアプリケーションプログラムやＯＳ（Operating System）などにて生成された情報をＬＣＤ１０１および１０２に表示する。なお、ＬＣＤドライバは、ＬＣＤ１０１および１０２のそれぞれに別々の情報を表示することができる。
【００４２】
また、ＬＣＤドライバ１１３は、バックライト１１１および１１２の点灯を制御して、ＬＣＤ１０１および１０２の明るさを調整する。
【００４３】
なお、本実施形態では、第一の明るさを第二の明るさの半分とする。また、ＬＣＤドライバ１１３は、第一の明るさでＬＣＤを照明するハーフ点灯、第二の明るさでＬＣＤを照明する全点灯、および、ＬＣＤへの照明を停止する消灯のいずれかをバックライト１１１および１１２のそれぞれに実行させて、ＬＣＤ１０１および１０２の明るさを個別に調整する。
【００４４】
また、ＬＣＤドライバ１１３は、ＬＣＤ１０１および１０２の明るさを調整するたびに、ＬＣＤ１０１および１０２のそれぞれの照明状態を示す状態情報を生成する。照明状態には、第一の明るさで照明されているハーフ点灯状態、第二の明るさで照明されている全点灯状態、および、照明が停止されている消灯状態がある。
【００４５】
タッチパネル１０６および１０７は、図１で示した操作部１０４に含まれる。また、タッチパネル１０６および１０７のそれぞれは、ＬＣＤ１０１および１０２のそれぞれに備わっている。以下、タッチパネル１０６は、ＬＣＤ１０１に備わり、タッチパネル１０７をＬＣＤ１０２に備わっているものとする。
【００４６】
タッチパネル１０６および１０７は、ユーザからタッチ操作が行われたか否かを検知する。なお、タッチ操作は、タッチパネル１０６または１０７に接触する操作である。
【００４７】
タッチパネル１０６および１０７は、ユーザからのタッチ操作を検知している間、タッチ操作の検知信号であるイベント情報を、ＬＣＤドライバ１１３を介して制御部１０５に送信する。イベント情報は、具体的には、タッチパネル１０６および１０７上の接触位置を示す位置情報と、タッチ操作が行われたタッチパネルを示す識別情報とを含む。
【００４８】
電源１０８は、端末装置１００を動作させる電力を蓄電可能である。
【００４９】
電源制御部１０９は、電源１０８を制御して端末装置１００の各部に電力を供給する。また、電源制御部１０９は、定期的に電源１０８に蓄電されている電力の残量を測定し、その測定した電力の残量を示す残量情報を生成する。
【００５０】
制御部１０５は、タッチパネル１０６および１０７からのイベント情報と、電源制御部１０９にて測定された電力の残量と、ＬＣＤドライバ１１３にて生成された状態情報とに基づいて、ＬＣＤ制御部１０３を制御して、ＬＣＤ１０１および１０２の明るさを調整する。
【００５１】
具体的には、制御部１０５は、イベント情報を受信すると、状態情報が示すＬＣＤ１０１および１０２の照明状態が両方とも消灯状態を示すか否かを判断する。制御部１０５は、その照明状態が両方とも消灯状態を示すと、ＬＣＤ１０１および１０２の明るさを調整する調整処理を開始する。
【００５２】
調整処理では、制御部１０５は、イベント情報に基づいて、所定の操作が行われたか否かを確認する。所定の操作が行われた場合、制御部１０５は、イベント情報に基づいて、その所定の操作として、ＬＣＤ１０１および１０２の全てを選択する第一の所定の操作が行われたか、ＬＣＤ１０１および１０２のいずれかを選択する第二の所定の操作が行われたかを判断する。
【００５３】
所定の操作が行われると、制御部１０５は、電力の残量が予め定められた閾値以上の場合、ＬＣＤ制御部１０３に、ＬＣＤ１０１および１０２の少なくも一つを第二の明るさで照明させる。より具体的には、所定の操作として第一の所定の操作が行われると、制御部１０５は、ＬＣＤ制御部１０３に、ＬＣＤ１０１および１０２の全てを第二の明るさで照明させる。また、制御部１０５は、所定の操作として第二の所定の操作が行われると、ＬＣＤ制御部１０３に、その第二の所定の操作で選択されたＬＣＤを第二の明るさで照明させる。
【００５４】
一方、電力の残量が予め定められた閾値未満の場合、制御部１０５は、ＬＣＤ制御部１０３に、ＬＣＤ１０１および１０２の少なくも一つを第一の明るさで照明させる。より具体的には、所定の操作として第一の所定の操作が行われると、制御部１０５は、ＬＣＤ制御部１０３に、ＬＣＤ１０１および１０２の全てを第一の明るさで照明させる。また、所定の操作として第二の所定の操作が行われると、制御部１０５は、ＬＣＤ制御部１０３に、その第二の所定の操作で選択されたＬＣＤを第一の明るさで照明させる。
【００５５】
ＬＣＤ１０１および１０２の少なくも一つが第一の明るさで照明されると、制御部１０５は、イベント情報に基づいて、タッチパネル１０６および１０７に対して選択操作が行われたか否かを判断する。
【００５６】
所定の操作が行われてから所定時間が経過しても、タッチパネル１０６および１０７に対して選択操作が行われなかった場合、制御部１０５は、ＬＣＤ制御部１０３に、ＬＣＤ１０１および１０２への全ての照明を停止させる。
【００５７】
また、所定の操作が行われてから所定時間が経過する前に選択操作が行われると、制御部１０５は、その選択操作にて選択されたＬＣＤが第一の明るさで照明されているか否かを判断する。
【００５８】
その選択されたＬＣＤが第一の明るさで照明されている場合、制御部１０５は、ＬＣＤ制御部１０３に、そのＬＣＤを第二の明るさで照明させる。一方、その選択されたＬＣＤへの照明が停止されている場合、制御部１０５は、ＬＣＤ制御部１０３に、そのＬＣＤを第一の明るさで照明させるとともに、そのＬＣＤ以外のＬＣＤへの照明を停止する。
【００５９】
上記処理では、制御部１０５は、選択操作にて選択されたＬＣＤ以外のＬＣＤへの照明を停止する停止処理を行ったが、本停止処理を省略し、選択されたＬＣＤを第一の明るさで照明させるだけでもよい。また、制御部１０５は、ＬＣＤ制御部１０３に、選択操作にて選択されたＬＣＤを第二の明るさで照明させてもよい。この場合、ユーザの操作の負担を減らすことが可能となる。
【００６０】
より具体的には、制御部１０５は、情報取得部１２１と、イベント受信部１２２と、バックライト制御判断部１２３とを有し、各部が以下の機能を実現する。
【００６１】
情報取得部１２１は、電源制御部１０９から残量情報を取得し、ＬＣＤドライバ１１３から状態情報を取得する。
【００６２】
イベント受信部１２２は、タッチパネル１０６および１０７からイベント情報を受信する。
【００６３】
イベント受信部１２２がイベント情報の受信を開始したときに、情報取得部１２１にて取得された状態情報が示すＬＣＤ１０１および１０２の照明状態が両方とも消灯状態であると、バックライト制御判断部１２３は、ＬＣＤ１０１および１０２の明るさを調整する調整処理を開始する。
【００６４】
調整処理では、バックライト制御判断部１２３は、イベント受信部１２２が受信したイベント情報に基づいて、タッチパネル１０６および１０７に対して所定の操作が行われたか否かを判断する。
【００６５】
以下では、所定の操作はクリック操作であるとする。この場合、バックライト制御判断部１２３は、イベント情報が示す接触位置が移動せずにイベント受信部１２２によるイベント情報の受信が終了すると、所定の操作であるクリック操作が行われたと判断する。
【００６６】
このとき、バックライト制御判断部１２３は、予め定められた判断時間内にクリック操作が２回行われた場合、クリック操作としてダブルクリック操作が行われたと判断し、その基準時間内に２回クリック操作が行われていない場合、クリック操作としてシングルクリック操作が行われたと判断する。以下では、ダブルクリック操作を第一の所定の操作とし、シングルクリック操作を第二の所定の操作とする。なお、シングルクリック操作にて選択されるＬＣＤは、そのシングルクリック操作が行われたタッチパネルを備えたＬＣＤとなる。
【００６７】
クリック操作が行われると、バックライト制御判断部１２３は、情報取得部１２１にて取得された残量情報が示す電力の残量が閾値未満か否かを判断する。
【００６８】
電力の残量が閾値以上の場合、バックライト制御判断部１２３は、ＬＣＤドライバ１１３にバックライト１１１および１１２の少なくも一つを全点灯させて、ＬＣＤ１０１および１０２の少なくも一つを第二の明るさで照明させる。
【００６９】
このとき、所定の操作としてシングルクリック操作が行われると、バックライト制御判断部１２３は、ＬＣＤドライバ１１３に、そのシングルクリック操作が行われたタッチパネルを備えたＬＣＤのバックライトのみを全点灯させて、そのＬＣＤのみを第二の明るさで照明させる。また、所定の操作としてダブルクリック操作が行われると、バックライト制御判断部１２３は、ＬＣＤドライバ１１３に、バックライト１１１および１１２の両方を全点灯させて、ＬＣＤ１０１および１０２の両方を第二の明るさで照明させる。
【００７０】
また、電力の残量が閾値未満の場合、バックライト制御判断部１２３は、ＬＣＤドライバ１１３にバックライト１１１および１１２の少なくもひとつをハーフ点灯させて、ＬＣＤ１０１および１０２の少なくとも一つを第一の明るさで照明させる。
【００７１】
このとき、所定の操作としてシングルクリック操作が行われると、バックライト制御判断部１２３は、ＬＣＤドライバ１１３に、そのシングルクリック操作が行われたタッチパネルを備えたＬＣＤのバックライトのみをハーフ点灯させて、そのＬＣＤのみを第一の明るさで照明させる。一方、所定の操作としてダブルクリック操作が行われると、バックライト制御判断部１２３は、ＬＣＤドライバ１１３に、バックライト１１１および１１２の両方をハーフ点灯させて、ＬＣＤ１０１および１０２の両方を第一の明るさで照明させる。
【００７２】
ＬＣＤ１０１および１０２の少なくも一つを第一の明るさで照明させると、バックライト制御判断部１２３は、イベント受信部１２２を監視して、タッチパネル１０６および１０７に対して選択操作が行われたか否かを判断する。以下では、選択操作はタッチ操作であるとする。この場合、バックライト制御判断部１２３は、イベント受信部１２２がイベント情報を受信すると、選択操作が行われたと判断する。また、タッチ操作で選択されるＬＣＤは、そのタッチ操作が行われたタッチパネルを備えたＬＣＤである。
【００７３】
所定の操作が行われてから所定時間が経過しても、タッチパネル１０６および１０７に対してタッチ操作が行われなかった場合、バックライト制御判断部１２３は、ＬＣＤドライバ１１３に、バックライト１１１および１１２の両方を消灯させて、ＬＣＤ１０１および１０２への全ての照明を停止させる。
【００７４】
また、所定の操作が行われてから所定時間が経過する前にタッチ操作が行われると、バックライト制御判断部１２３は、そのタッチ操作が行われたタッチパネルを備えたＬＣＤへの照明が第一の明るさで照明されている場合、ＬＣＤドライバ１１３に、そのＬＣＤのバックライトのみを全点灯させて、そのＬＣＤを第二の明るさで照明させる。
【００７５】
一方、その選択操作が行われたタッチパネルを備えたＬＣＤへの照明が停止されている場合、バックライト制御判断部１２３は、ＬＣＤドライバ１１３に、そのＬＣＤのバックライトをハーフ点灯させて、そのＬＣＤを第一の明るさで照明させる。また、バックライト制御判断部１２３は、そのＬＣＤを第一の明るさで照明させるとともに、そのＬＣＤ以外のＬＣＤのバックライトを消灯して、そのＬＣＤ以外のＬＣＤへの照明を停止してもよい。
【００７６】
なお、選択操作が行われてから所定時間が経過しても、タッチパネル１０６および１０７に対してタッチ操作が行われなかった場合、バックライト制御判断部１２３は、ＬＣＤドライバ１１３に、バックライト１１１および１１２の両方を消灯させて、ＬＣＤ１０１および１０２への全ての照明を停止させてもよい。
【００７７】
ここで、ＬＣＤが第二の明るさで照明されている場合、ユーザはアプリケーションを利用するためにそのＬＣＤを眺めているが、ＬＣＤが第一の明るさで照明されている場合、ユーザは表示内容を確認するためにＬＣＤを眺めている。また、ＬＣＤが第一の明るさで照明されている場合、ＬＣＤが照明される点灯期間は比較的短くても、ユーザは表示内容を十分に確認できる。したがって、ＬＣＤが第一の明るさで照明される点灯期間は、ＬＣＤが第二の明るさで照明される点灯期間に比べて短くてもよい。この場合、点灯時間の長大化による電力の消費を低減することが可能となる。
【００７８】
次に動作を説明する。
【００７９】
図４は、端末装置が調整処理を開始するまでの動作を説明するためのフローチャートである。
【００８０】
ステップＳ４０１では、バックライト制御判断部１２３は、イベント受信部１２２がイベント情報を受信したか否かを監視する。バックライト制御判断部１２３は、イベント受信部１２２がイベント情報を受信していないと、ステップＳ４０１を実行し、イベント受信部１２２がイベント情報を受信すると、ステップＳ４０２を実行する。
【００８１】
ステップＳ４０２では、バックライト制御判断部１２３は、動作命令を情報取得部１２１に送信する。情報取得部１２１は、動作命令を受信すると、電源制御部１０９から残量情報を取得し、ＬＣＤドライバ１１３から状態情報を取得する。情報取得部１２１は、その残量情報および状態情報をバックライト制御判断部１２３に送信する。バックライト制御判断部１２３は、残量情報および状態情報を受信すると、ステップＳ４０３を実行する。
【００８２】
ステップＳ４０３では、バックライト制御判断部１２３は、状態情報が示すＬＣＤ１０１および１０２の照明状態の両方が消灯状態か否かを判断する。バックライト制御判断部１２３は、その照明状態の両方が消灯状態であると、調整処理を開始し、その照明状態の両方が消灯状態でないと、処理を終了する。
【００８３】
図５は、調整処理時における端末装置の動作の一例を説明するためのフローチャートである。
【００８４】
ステップＳ５０１では、バックライト制御判断部１２３は、図４のステップＳ４０１でイベント受信部１２２が受信したイベント情報に基づいて、タッチパネル１０６および１０７の少なくとも一つに対してクリック操作が行われたか否かを判断する。
【００８５】
より具体的には、先ず、バックライト制御判断部１２３は、そのイベント情報が示す接触位置が移動せずにイベント情報の受信が終了したか否かを確認する。そして、バックライト制御判断部１２３は、接触位置が移動せずにイベント情報の受信が終了した場合、クリック操作が行われたと判断し、接触位置が移動した場合、クリック操作が行われていないと判断する。
【００８６】
バックライト制御判断部１２３は、クリック操作が行われていないと、ステップＳ５１５を実行し、クリック操作が行われていると、ステップＳ５０２を実行する。
【００８７】
ステップＳ５０２では、バックライト制御判断部１２３は、図４のステップＳ４０２で受信した残量情報にて示される電力の残量が閾値未満か否かを判断する。バックライト制御判断部１２３は、電力の残量が閾値以上であると、ステップＳ５０３を実行し、電力の残量が閾値未満であると、ステップＳ５０６を実行する。
【００８８】
ステップＳ５０３では、バックライト制御判断部１２３は、クリック操作がシングルクリック操作かダブルクリック操作かを確認する。バックライト制御判断部１２３は、クリック操作がダブルクリック操作であると、ステップＳ５０４を実行し、クリック操作がシングルクリック操作であると、ステップＳ５０５を実行する。
【００８９】
ステップＳ５０４では、バックライト制御判断部１２３は、全点灯を示す第一制御信号および第二制御信号を生成する。なお、第一制御信号はバックライト１１１の点灯を制御するための信号であり、第二制御信号はバックライト１１２の点灯を制御するための信号である。
【００９０】
バックライト制御判断部１２３は、その生成した第一制御信号および第二制御信号をＬＣＤドライバ１１３に送信する。ＬＣＤドライバ１１３は、第一制御信号および第二制御信号を受信すると、バックライト１１１および１１２の両方を全点灯させて、ＬＣＤ１０１および１０２の全てを第二の明るさで照明する。これにより、調整処理が終了される。
【００９１】
ステップＳ５０５では、バックライト制御判断部１２３は、図４のステップＳ４０１でイベント受信部１２２が受信したイベント情報内の識別情報を確認する。バックライト制御判断部１２３は、その確認した識別情報が示すタッチパネル（以下、タッチパネル１０６とする）を備えたＬＣＤ１０１を第二の明るさで照明させるために、全点灯を示す第一制御信号と、消灯を示す第二制御信号とを生成する。
【００９２】
バックライト制御判断部１２３は、その第一制御信号および第二制御信号をＬＣＤドライバ１１３に送信する。ＬＣＤドライバ１１３は、その第一制御信号および第二制御信号を受信すると、バックライト１１１を全点灯させるとともに、バックライト１１２を消灯させて、ＬＣＤ１０１のみを第二の明るさで照明する。これにより、調整処理が終了する。
【００９３】
ステップＳ５０６では、バックライト制御判断部１２３は、クリック操作がシングルクリック操作かダブルクリック操作かを確認する。バックライト制御判断部１２３は、クリック操作がダブルクリック操作であると、ステップＳ５０７を実行し、クリック操作がシングルクリック操作であると、ステップＳ５１０を実行する。
【００９４】
ステップＳ５０７では、バックライト制御判断部１２３は、ハーフ点灯を示す第一制御信号および第二制御信号を生成し、その第一制御信号および第二制御信号をＬＣＤドライバ１１３に送信する。ＬＣＤドライバ１１３は、その第一制御信号および第二制御信号を受信すると、バックライト１１１および１１２をハーフ点灯させて、ＬＣＤ１０１および１０２を第一の明るさで照明する。また、バックライト制御判断部１２３は、第一制御信号および第二制御信号を送信すると、ステップＳ５０８を実行する。
【００９５】
ステップＳ５０８では、バックライト制御判断部１２３は、所定時間内にイベント受信部１２２がイベント情報を受信したか否かを確認して、タッチパネル１０６および１０７の少なくとも一つに対してタッチ操作が行われたか否かを判断する。
【００９６】
バックライト制御判断部１２３は、所定時間内にイベント情報が受信されると、タッチ操作が行われたと判断して、ステップＳ５０９を実行し、所定時間内にイベント情報が受信されないと、タッチ操作が行われなかったと判断して、ステップ５１５を実行する。
【００９７】
ステップＳ５０９では、バックライト制御判断部１２３は、ステップＳ５０８でイベント受信部１２２が受信したイベント情報内の識別情報を確認する。バックライト制御判断部１２３は、その確認した識別情報が示すタッチパネル（以下、タッチパネル１０６とする）を備えたＬＣＤ１０１を第二の明るさで照明させるために、全点灯を示す第一制御信号を生成する。
【００９８】
バックライト制御判断部１２３は、その第一制御信号をＬＣＤドライバ１１３に送信する。ＬＣＤドライバ１１３は、その第一制御信号を受信すると、バックライト１１１を全点灯させて、ＬＣＤ１０１を第二の明るさで照明させる。
【００９９】
このとき、バックライト制御判断部１２３は、タッチパネル１０７を備えたＬＣＤ１０２を第一の明るさで照明させてもよいし、ＬＣＤ１０２への照明を停止させてもよい。
【０１００】
ＬＣＤ１０２を第一の明るさで照明させる場合、バックライト制御判断部１２３は、ハーフ点灯を示す第二制御信号を生成し、その第二制御信号をＬＣＤドライバ１１３に送信する。ＬＣＤドライバ１１３は、第二制御信号を受信すると、バックライト１１２をハーフ点灯させて、ＬＣＤ１０２を第一の明るさで照明させる。
【０１０１】
また、ＬＣＤ１０２への照明を停止させる場合、バックライト制御判断部１２３は、消灯を示す第二制御信号を生成し、その第二制御信号をＬＣＤドライバ１１３に送信する。ＬＣＤドライバ１１３は、第二制御信号を受信すると、バックライト１１２を消灯させて、ＬＣＤ１０２への照明を停止させる。
【０１０２】
なお、バックライト制御判断部１２３は、第一制御信号を送信してから一定期間が経過した後で、消灯を示す第二制御信号をＬＣＤドライバ１１３に送信してもよい。また、バックライト制御判断部１２３は、ハーフ点灯を示す第二制御信号を送信してから一定期間が経過した後で、消灯を示す第二制御信号をＬＣＤドライバ１１３に送信してもよい。
【０１０３】
ステップＳ５１０では、バックライト制御判断部１２３は、図４のステップＳ４０１でイベント受信部１２２が受信したイベント情報内の識別情報を確認する。バックライト制御判断部１２３は、その確認した識別情報が示すタッチパネルであるタッチパネル１０６を備えたＬＣＤ１０１を第一の明るさで照明させるために、ハーフ点灯を示す第一制御信号を生成する。
【０１０４】
バックライト制御判断部１２３は、その第一制御信号をＬＣＤドライバ１１３に送信する。ＬＣＤドライバ１１３は、その第一制御信を受信すると、バックライト１１１をハーフ点灯させて、ＬＣＤ１０１のみを第一の明るさで照明する。また、バックライト制御判断部１２３は、第一制御信号を送信すると、ステップＳ５１１を実行する。
【０１０５】
ステップＳ５１１では、バックライト制御判断部１２３は、所定時間内にイベント受信部１２２がイベント情報を受信したか否かを確認して、タッチパネル１０６および１０７の少なくとも一つに対してタッチ操作が行われたか否かを判断する。
【０１０６】
バックライト制御判断部１２３は、所定時間内にイベント情報が受信されると、タッチ操作が行われたと判断して、ステップＳ５１２を実行し、所定時間内にイベント情報が受信されないと、ステップＳ５１５を実行する。
【０１０７】
ステップＳ５１２では、バックライト制御判断部１２３は、状態情報の取得命令を情報取得部１２１に送信する。情報取得部１２１は、取得命令を受信すると、ＬＣＤドライバ１１３から状態情報を取得し、その状態情報をバックライト制御判断部１２３に送信する。バックライト制御判断部１２３は、状態情報を受信すると、その状態情報に基づいて、ステップＳ５１１で受信されたイベント情報内の識別情報が示すタッチパネルを備えたＬＣＤがハーフ点灯状態か否かを判断する。バックライト制御判断部１２３は、そのＬＣＤがハーフ点灯状態であると、ステップＳ５１３を実行し、そのＬＣＤがハーフ点灯状態でないと、ステップＳ５１４を実行する。
【０１０８】
ステップＳ５１３では、バックライト制御判断部１２３は、ハーフ点灯状態のＬＣＤ（以下、ＬＣＤ１０１とする）を第二の明るさで照明させるために、全点灯を示す第一制御信号と、消灯を示す第二制御信号とを生成する。
【０１０９】
バックライト制御判断部１２３は、その第一制御信号および第二制御信号をＬＣＤドライバ１１３に送信する。ＬＣＤドライバ１１３は、その第一制御信号および第二制御信号を受信すると、バックライト１１１を全点灯させるとともに、バックライト１１２を消灯させて、ＬＣＤ１０１を第二の明るさで照明する。これにより、調整処理が終了する。
【０１１０】
なお、ステップＳ５１３においてＬＣＤ１０２への照明を停止するタイミングは、ＬＣＤ１０１を第二の明るさで照明させた直後でもよいし、ＬＣＤ１０１を第二の明るさで照明させてから一定期間が経過した後でもよい。また、バックライト制御判断部１２３は、ＬＣＤ１０２への照明を停止させる処理を省略してもよい。
【０１１１】
ステップＳ５１４では、バックライト制御判断部１２３は、イベント情報内の識別情報が示すタッチパネルを備えたＬＣＤ（以下、ＬＣＤ１０２とする）を第一の明るさで照明させるために、消灯を示す第一制御信号と、ハーフ点灯を示す第二制御信号を生成する。
【０１１２】
バックライト制御判断部１２３は、その第一制御信号および第二制御信号をＬＣＤドライバ１１３に送信する。ＬＣＤドライバ１１３は、その第一制御信号および第二制御信号を受信すると、バックライト１１１を消灯させるとともに、バックライト１１２をハーフ点灯させて、ＬＣＤ１０２のみを第一の明るさで照明する。また、バックライト制御判断部１２３は、第一制御信号および第二制御信号を送信すると、ステップ５１０を実行する。
【０１１３】
なお、ステップＳ５１３においてＬＣＤ１０１への照明を停止するタイミングは、ＬＣＤ１０１を第二の明るさで照明させた直後でもよいし、ＬＣＤ１０２を第二の明るさで照明させてから一定期間が経過した後でもよい。また、バックライト制御判断部１２３は、ＬＣＤ１０１への照明を停止させる処理を省略してもよい。
【０１１４】
ステップＳ５１５では、バックライト制御判断部１２３は、ＬＣＤ１０１および１０２の両方を消灯させるために、消灯を示す第一制御信号および第二制御信号を生成する。バックライト制御判断部１２３は、その第一制御信号および第二制御信号をＬＣＤドライバ１１３に送信する。ＬＣＤドライバ１１３は、その第一制御信号および第二制御信号を受信すると、バックライト１１１および１１２を消灯させて、ＬＣＤ１０１および１１１の両方への照明を停止させる。これにより、調整処理が終了する。
【０１１５】
本実施形態によれば、制御部１０５は、所定の操作として、ＬＣＤ１０１および１０２の全てを選択する第一の所定の操作が行われると、ＬＣＤ制御部１０３にＬＣＤ１０１および１０２の全てを第一の明るさで照明させる。
【０１１６】
この場合、所定の操作が行われると、ＬＣＤ１０１および１０２の全てが第一の明るさで照明される。このため、ユーザは、全てのＬＣＤ１０１および１０２に表示されている表示内容を一度に確認することが可能になるので、利用するアプリケーションを素早く確認することが可能になる。
【０１１７】
また、本実施形態では、制御部１０５は、所定の操作として、ＬＣＤ１０１および１０２のいずれかを選択する第二の所定の操作が行われると、ＬＣＤ制御部１０３に、その第二の所定の操作にて選択されたＬＣＤを第一の明るさで照明する。
【０１１８】
この場合、所定の操作が行われると、ＬＣＤ１０１および１０２のいずれかが第一の明るさで照明される。このため、表示されている情報を確認する必要のないＬＣＤへの照明が行われないので、電力の消費をより低減することが可能になる。
【０１１９】
なお、上記の実施形態では、第一の所定の操作を画面に対するダブルクリックとした。しかし、第一の所定の操作はこれに限られず、ハードウエアキーに対するシングルクリック、ダブルクリック、長押し、短押し、タッチパネルに対する接触操作やフリック操作、ドラッグ操作等の軌跡の相違、端末を振る動作、端末を開く動作など、制御部１０５がユーザからの操作として認識できる様々なものを採用することができる。
【０１２０】
また、第一の所定の操作だけでなく、第二の所定の操作および選択操作についても、制御部１０５が、ユーザからの操作として認識できる様々なものを採用することができる。
【０１２１】
また、本実施形態では、制御部１０５は、選択操作にて選択されたＬＣＤが第一の明るさで照明されている場合、ＬＣＤ制御部１０３に、その選択されたＬＣＤを第二の明るさで照明させる。
【０１２２】
この場合、ユーザにて表示されている情報が確認されたＬＣＤのみを第二の明るさにすることが可能になるので、ユーザが確認していないＬＣＤが誤って第二の明るさで照明されて、電力の消費をより低減することが可能になる。
【０１２３】
また、本実施形態では、選択操作にて第一の明るさで照明された複数のＬＣＤが選択された場合、制御部１０５は、その選択されたＬＣＤの全てを第二の明るさで照明させる。
【０１２４】
この場合、例えば、ある情報が複数のＬＣＤに跨って表示されている場合でも、ユーザは第一の明るさで照明されたＬＣＤを確認して、その情報が表示されたＬＣＤを全て第二の明るさ照明させることが可能になる。
【０１２５】
また、本実施形態では、制御部１０５は、選択操作にて選択されたＬＣＤが第一の明るさで照明されている場合、ＬＣＤ制御部１０３に、その選択されたＬＣＤ以外のＬＣＤを消灯させる。なお、制御部１０５は、選択操作が行われた直後にＬＣＤを消灯させてもよいし、選択操作が行われてから一定期間経過した後に消灯させてよい。
【０１２６】
この場合、ユーザにて表示されている情報が確認されたＬＣＤ以外ＬＣＤに対する照明を停止することが可能になり、電力の消費をより低減することが可能となる。
【０１２７】
また、本実施形態では、制御部１０５は、選択操作にて選択されたＬＣＤへの照明が停止されている場合、ＬＣＤ制御部１０３に、そのＬＣＤを第一の明るさで照明させる。
【０１２８】
この場合、ＬＣＤを順番に確認することが可能になる。
【０１２９】
また、本実施形態では、制御部１０５は、選択操作にて選択されたＬＣＤへの照明が停止されている場合、ＬＣＤ制御部１０３に、そのＬＣＤを第二の明るさで照明させることも可能である。
【０１３０】
この場合、操作を行うために必要とされる第二の明るさで照明されることにより、ユーザの操作工数を低減することが可能になる。
【０１３１】
また、本実施形態では、制御部１０５は、選択操作にて選択されたＬＣＤへの照明が停止されている場合、ＬＣＤ制御部１０３に、その選択されたＬＣＤ以外のＬＣＤへの照明を停止させる。
【０１３２】
この場合、ユーザにて表示されている情報の確認が終わったＬＣＤへの照明を停止させることが可能になるので、電力の消費をより低減することが可能になる。
【０１３３】
また、本実施形態では、所定の操作が行われると、制御部１０５は、電源制御部１０９にて測定された電力の残量が閾値未満の場合、ＬＣＤ制御部１０３にＬＣＤ１０１および１０２の少なくとも一つを第一の明るさで照明させ、その電力の残量が閾値以上の場合、ＬＣＤ制御部１０３にＬＣＤ１０１および１０２の少なくとも一つを第二の明るさで照明させる。
【０１３４】
この場合、電力の残量が少ない場合にのみ、消費電力を軽減することが可能になる。
【０１３５】
また、本実施形態では、制御部１０５、所定の操作が行われてから所定時間経過しても、選択操作が行われなかった場合、ＬＣＤ制御部１０３に、ＬＣＤ１０１および１０２への全ての照明を停止させる。
【０１３６】
この場合、ユーザがアプリケーションを確認するだけの場合、確認が終了したＬＣＤへの照明を停止することが可能になるので、電力の消費をより低減することが可能になる。
【０１３７】
次に第３の実施形態について説明する。
【０１３８】
本実施形態では、タッチパネル１０６および１０７に対する操作の無効と有効とを切り替えることが可能な端末装置について説明する。
【０１３９】
図６は、本実施形態の端末装置の構成を示したブロック図である。図６において、端末装置１００は、図３で示した構成に加えて、入力部１３１をさらに有する。
【０１４０】
入力部１３１は、図１で示した操作部１０４に含まれる。入力部１３１は、ボタンや機械的な操作キーなどのタッチパネルとは別の操作手段である。入力部１３１は、ユーザから、タッチパネル１０６および１０７に対する操作を有効にするための有効指示を受け付けると、その有効指示をイベント受信部１２２を介してバックライト制御判断部１２３に出力する。
【０１４１】
バックライト制御判断部１２３は、情報取得部１２１が取得した状態情報に基づいて、タッチパネル１０６および１０７のそれぞれに対する操作の、無効および有効を切り替える。
【０１４２】
例えば、バックライト制御判断部１２３は、状態情報がＬＣＤ１０１および１０２の全てが消灯状態であることを示す場合、タッチパネル１０６および１０７の全てに対する操作を無効にし、状態情報がＬＣＤ１０１および１０２の少なくとも一つが点灯状態であることを示す場合、タッチパネル１０６および１０７の全てに対する操作を有効にする。
【０１４３】
したがって、制御部１０５は、ＬＣＤ制御部１０３がＬＣＤ１０１および１０２への照明を全て停止している場合、タッチパネル１０６および１０７に対する操作を無効にし、ＬＣＤ制御部１０３がＬＣＤ１０１および１０２の少なくとも一つを照明している場合、タッチパネル１０６および１０７に対する操作を有効にすることになる。
【０１４４】
また、バックライト制御判断部１２３は、所定時間以上、状態情報がＬＣＤ１０１および１０２の全てが消灯状態であることを示している場合に、タッチパネル１０６および１０７の全てに対する操作を無効にしてもよい。
【０１４５】
また、制御部１０５は、状態情報が示す照明状態がＬＣＤ１０１および１０２のいずれかが消灯状態である場合、タッチパネル１０６および１０７のいずれかを無効にしてもよい。例えば、制御部１０５は、状態情報が示す照明状態がＬＣＤ１０１および１０２のいずれかが消灯状態である場合、その消灯状態のＬＣＤに備わったタッチパネルのみを無効にしてもよい。
【０１４６】
イベント受信部１２２が有効指示を受信すると、制御部１０５は、タッチパネル１０６および１０７に対する操作を有効にする。例えば、タッチパネル１０６および１０７の全てに対する操作が無効である場合に、入力部１３１が有効指示を受け付けると、制御部１０５は、タッチパネル１０６および１０７の全てに対する操作を有効にする。このとき、制御部１０５は、ＬＣＤ１０１および１０２の全てを第一の明るさで照明させてもよい。この場合、入力部１３１に有効指示を入力する操作が第一の所定の操作と兼用されることになる。
【０１４７】
本実施形態によれば、制御部１０５は、ＬＣＤ制御部１０３がＬＣＤ１０１および１０２への照明を全て停止している場合、タッチパネル１０６および１０７の全てに対する操作を無効にし、ＬＣＤ制御部１０３がＬＣＤ１０１および１０２の少なくとも一つを照明している場合、タッチパネル１０６および１０７の全てに対する操作を有効にする。
【０１４８】
この場合、ＬＣＤ１０１および１０２への照明が全て停止されている場合、タッチパネル１０６および１０７の全てに対する操作が無効になり、ＬＣＤ１０１および１０２の少なくとも一つが照明されている場合、タッチパネル１０６および１０７の全てに対する操作が有効になる。
【０１４９】
したがって、端末装置が使用されていないときに、タッチパネル１０６および１０７の全てに対する操作を無効にすることが可能になるので、タッチパネル１０６および１０７に対する誤操作を抑制することが可能になる。
【０１５０】
また、端末装置が使用されているときに、照明されていないタッチパネルに対しても操作を有効にすることが可能になる。したがって、ユーザは、照明されていないタッチパネルに対しても所定の操作や選択操作を行うことが可能になるなど、ユーザの利便性を向上させることが可能になる。
【０１５１】
以上説明した各実施形態において、図示した構成は単なる一例であって、本発明はその構成に限定されるものではない。
【０１５２】
例えば、第二の所定の操作がシングルクリック操作であり、選択操作がダブルクリック操作でもよい。この場合、ハーフ点灯状態のＬＣＤに備わったタッチパネルに対してダブルクリック操作が行われると、そのＬＣＤが第二の明るさで照明される。このとき、ハーフ点灯状態のＬＣＤに備わったタッチパネルに対してシングルクリック操作が行われると、そのＬＣＤへの照明が停止されてもよい。なお、この場合、第一の所定の操作はない。
【０１５３】
この出願は、２０１０年２月１８日に出願された日本出願特願２０１０−０３３５８３号公報を基礎とする優先権を主張し、その開示の全てをここに取り込む。
【図１】
2011102222.tif 000003
【図２】
2011102222.tif 000004
【図３】
2011102222.tif 000005
【図４】
2011102222.tif 000006
【図５】
2011102222.tif 000007
【図６】
2011102222.tif 000008
【国際調査報告】
2011102222.tif 000009
2011102222.tif 000010
2011102222.tif 000011
2011102222.tif 000012